(57)【要約】      （修正有）【課題】従来構成から大幅な設計変更を行うことなく、出力音響信号に透かし情報を載せる。【解決手段】カラオケ装置は、透かし付与手段７１６から出力される透かし付与信号を音量調整して音響出力部７２の第２経路７２Ｂに出力する第１ボリューム手段７１７と、音響信号に効果が付与された効果付与信号効果付与信号を音量調整して外部に出力する第２ボリューム手段７２５とを備え、第２ボリューム手段を出力状態とすることで、音響出力部から効果付与信号を出力させる第１設定状態と、第２ボリューム手段を非出力状態とし、第１ボリューム手段を出力状態とすることで、音響出力部から透かし付与信号を出力させる第２設定状態と、に切替可能とする。【選択図】図３
2014149383.tif 000002
【特許請求の範囲】
【請求項１】
主制御部と、音響出力部を備え、
前記主制御部は、
前記主制御部の各手段、並びに、前記音響出力部の第２制御手段を制御可能とする第１制御手段と、
前記音響出力部の音源手段を制御する音源制御手段と、
前記音響出力部の第１経路から入力される効果付与信号に透かし情報を付与して透かし付与信号を出力する透かし付与手段と、
透かし付与信号を音量調整して前記音響出力部の第２経路に出力する第１ボリューム手段とを備え、
前記音響出力部は、
前記音響出力部の各手段を制御可能とする第２制御手段と、
音響信号を出力可能とする音源手段と、
前記音源手段から出力される音響信号に効果を付与して効果付与信号を出力するエフェクタ手段と、
効果付与信号を音量調整して外部に出力する第２ボリューム手段と、
前記第２ボリューム手段前の効果付与信号を主制御部に出力する前記第１経路と、
前記主制御部から出力される信号を前記第２ボリューム手段後に出力する前記第２経路と、を備え、
前記第１制御手段は、
前記第２ボリューム手段を出力状態とすることで、前記音響出力部から効果付与信号を出力させる第１設定状態と、
前記第２ボリューム手段を非出力状態とし、前記第１ボリューム手段を出力状態とすることで、前記音響出力部から透かし付与信号を出力させる第２設定状態と、に切替可能とすることを特徴とする
カラオケ装置。
【請求項２】
主制御部は、エンコーダ手段、効果音再生手段の少なくとも一方を備え、
前記エンコーダ手段は、前記第１経路を介して入力される効果付与信号をエンコード可能とし、
前記効果音再生手段は、効果音を再生して前記第２経路に出力可能とする
請求項１に記載のカラオケ装置。
【発明の詳細な説明】
【技術分野】
【０００１】
本発明は、楽曲の演奏に合わせて歌唱を楽しむことのできるカラオケ装置に関する。
【背景技術】
【０００２】
従来、楽曲の演奏を行うことで歌唱を楽しむことのできるカラオケ装置では、カラオケ装置から出力された音声は、外部のアンプ等を経由してスピーカから出力されることで、楽曲を聴取させることとしている。ＭＩＤＩ音源などの構成は、効果を付与するエフェクト部とともに、１つのハードウェア（ボード）で構成されることが多い。また、ＭＩＤＩ音源以外による生音などの演奏音（デジタル音声）についても、同じハードウェア上のエフェクト部を経由して出力されている（例えば、特許文献１）。
【０００３】
ここで、最近の技術として、音声信号に透かし情報を載せ、外部機器が音声を自身のマイクで拾った後に解析して情報部分を分離・取得して活用する、いわゆる透かし技術を利用したサービスが検討されている。デジタル音声（例えば、ＰＣＭ等）に対して情報用のデータを付加する方法は、特許文献２に開示されるように従来から知られた技術である。しかしながら、前述したカラオケ装置のハード構成では、透かし情報を付加できるタイミングや場所が存在しない。生音などの一部音声に透かし情報を乗せることも可能であるが、その後、いくつもエフェクタを経由することで、付加された透かし情報が変質し、外部機器などにて再現することができなくなる可能性がある。
【先行技術文献】
【特許文献】
【０００４】
【特許文献１】特開２００４-２９５９３４号公報
【特許文献２】特開２０１２-１３７９２号公報
【発明の概要】
【発明が解決しようとする課題】
【０００５】
本発明は、このようなカラオケ装置のハード構成上の制約という課題のもと、カラオケ装置が放音する音響信号に対して、透かし情報を埋め込むことを目的とするものである。
【課題を解決するための手段】
【０００６】
そのため、本発明に係るカラオケ装置は、以下の構成を採用するものである。
主制御部と、音響出力部を備え、
前記主制御部は、
前記主制御部の各手段、並びに、前記音響出力部の第２制御手段を制御可能とする第１制御手段と、
前記音響出力部の音源手段を制御する音源制御手段と、
前記音響出力部の第１経路から入力される効果付与信号に透かし情報を付与して透かし付与信号を出力する透かし付与手段と、
透かし付与信号を音量調整して前記音響出力部の第２経路に出力する第１ボリューム手段とを備え、
前記音響出力部は、
前記音響出力部の各手段を制御可能とする第２制御手段と、
音響信号を出力可能とする音源手段と、
前記音源手段から出力される音響信号に効果を付与して効果付与信号を出力するエフェクタ手段と、
効果付与信号を音量調整して外部に出力する第２ボリューム手段と、
前記第２ボリューム手段前の効果付与信号を主制御部に出力する前記第１経路と、
前記主制御部から出力される信号を前記第２ボリューム手段後に出力する前記第２経路と、を備え、
前記第１制御手段は、
前記第２ボリューム手段を出力状態とすることで、前記音響出力部から効果付与信号を出力させる第１設定状態と、
前記第２ボリューム手段を非出力状態とし、前記第１ボリューム手段を出力状態とすることで、前記音響出力部から透かし付与信号を出力させる第２設定状態と、に切替可能とすることを特徴とする。
【０００７】
本発明に係るカラオケ装置において、
主制御部は、エンコーダ手段、効果音再生手段の少なくとも一方を備え、
前記エンコーダ手段は、前記第１経路を介して入力される効果付与信号をエンコード可能とし、
前記効果音再生手段は、効果音を再生して前記第２経路に出力可能とする。
【発明の効果】
【０００８】
本発明に係るカラオケ装置によれば、従来のカラオケ装置のハード構成を活用してカラオケ装置から放音される音響信号に透かし情報を埋め込むことが可能となる。
【０００９】
さらに、本発明に係るカラオケ装置では、従来、音響出力部から主制御部（エンコーダ手段）への信号経路として使用されていた第１経路を、透かし付与手段への信号経路として利用することで、従来のハード構成を活用した透かし付与構成を形成することが可能となる。また、従来、効果付与信号に対して効果音を付与するための信号経路として使用されていた第２経路を、透かし付与手段からの出力経路として使用することで、従来のハード構成を活かした透かし付与構成を形成することが可能となる。
【図面の簡単な説明】
【００１０】
【図１】本発明の実施形態に係るカラオケシステムを示す図
【図２】音響制御部の従来構成を示すブロック図
【図３】本発明の実施形態に係る音響制御部の構成を示すブロック図
【図４】本発明の実施形態に係る透かし切替処理（非透かし状態→透かし状態）を示すフロー図
【図５】本発明の実施形態に係る第１ボリューム、第２ボリューム用テーブルを示す図
【図６】本発明の実施形態に係る音響制御部の構成（透かし状態）を示すブロック図
【図７】本発明の実施形態に係る透かし切替処理（透かし状態→非透かし状態）を示すフロー図
【図８】本発明の実施形態に係る音響制御部の構成（非透かし状態）を示すブロック図
【図９】本発明の実施形態に係るボリューム設定処理を示すフロー図
【発明を実施するための形態】
【００１１】
図１は、本発明の実施形態に係るカラオケシステムの構成を示す図である。本実施形態におけるカラオケシステムは、カラオケ装置２（別称「コマンダ」）と、リモコン装置１にて構成されており、これらは、ＬＡＮ１００にて、無線、有線で互いに接続されている。
【００１２】
店舗に設置されるカラオケ装置２は、リモコン装置１（例えば、１ａ、１ｂ）によりユーザからの各種指示を受け付けることが可能となっている。また、リモコン装置１は表示
部１１と操作部１７が共有されたタッチパネル表示画面を備え、ユーザに対して各種情報の提供や、操作入力を行うことが可能とされている。リモコン装置１は、ＬＡＮ１００上に設置されたアクセスポイント１１０を介してカラオケ装置２と無線接続される。例えばカラオケ装置２にはリモコン装置１ａと１ｂが対応付けられ、ＬＡＮ１００ａを介して情報を送受信することが可能となっている。また、リモコン装置１ａ、１ｂとカラオケ装置２とは赤外線通信部１６などを利用した近距離通信を行うことも可能である。
【００１３】
さらに、本実施形態のカラオケシステムでは、ユーザに各種サービスを提供するためインターネットを介したカラオケ用ホスト５（サーバ装置）が設けられ、楽曲情報やユーザ情報、投稿情報（カラオケ投稿映像・音声、補助情報）など、各種サービスに必要な情報を記憶している。そして、ルータ１２０を通じて、カラオケ装置２、又はリモコン装置１ａ、１ｂと、前述した情報の送受信が行うことができる。
【００１４】
カラオケ装置２は、全体を統括制御する制御部３０を中心として機能し、主な機能として、演奏処理、楽曲予約処理などを実行可能としている。演奏処理は、入力部２１やリモコン装置１にて、ユーザにより指定された歌唱用楽曲に対応する演奏情報をＭＩＤＩ音源を含んで構成される音響制御部７０にて演奏させ、スピーカ４２から放音させる処理である。このとき、音響制御部７０には、歌唱用マイク４４ａ、４４ｂから入力音声情報を入力するためのマイク音声入力部を有し、このマイク音声入力部から入力された入力音声情報は、演奏音とともにスピーカ４２から放音される。
【００１５】
楽曲予約処理は、ユーザからの指定に基づいて歌唱用楽曲を選択、予約するための処理である。本実施形態ではリモコン装置１と連携して実行することとなる。リモコン装置１の操作部１７から入力されたユーザの指令はＬＡＮ１００、あるいは、赤外線通信部１９、２３を介してカラオケ装置２に伝達される。カラオケ装置２での処理結果は、リモコン装置１側の表示部１１に表示され、ユーザは選曲のための各種情報を視認することが可能である。カラオケ装置２とリモコン装置１は、この楽曲指定処理に限らず、ユーザ個別のサービスを提供するためのログイン処理など各種処理を実行することが可能である。
【００１６】
図２は、カラオケ装置１において、演奏処理を実行する従来の音響制御部７０について、その構成を示したブロック図である。音響制御部７０は、ハードウェア的に分離された２つの基板（メイン基板７１、音響基板７２）によって構成されている。メイン基板７１（本発明における「主制御部」）は、音響基板７２（本発明における「音響出力部」）を制御する基板であって、制御手段７１１、生音デコーダ７１２、ＭＩＤＩシーケンサ７１３、生音エンコーダ７１４、効果音再生手段７１５を備えている。音響制御部７０は、ハードウエア的に、ＣＰＵあるいはＤＳＰ等で構成された制御部と、ＲＯＭ、ＲＡＭ等の記憶部等にて構成されることとなるが、上述した各手段７１１〜７１５は、そのハードウエア構成上においてソフトウェアによって機能的に構成された手段とすることとしてもよい。あるいは、各手段７１１〜７１５についてハードウエア的に構成されることとしてもよい。
【００１７】
生音デコーダ７１２は、演奏情報中、コーラスやスキャット、模範歌唱等、実際の音声が録音された生音情報を再生する手段である。この生音デコーダ７１２で再生された生音は、ＵＳＢ接続された音響基板７２にデジタル情報として出力される。この生音デコーダ７１２で再生する生音情報には、圧縮もしくは非圧縮の音声情報を採用することが可能である。
【００１８】
ＭＩＤＩシーケンサ７１３は、演奏情報中、ＭＩＤＩ規格にて構成されたＭＩＤＩデータを音響基板７２側のＭＩＤＩ音源７２３にて再生させるための手段である。演奏情報に含まれるＭＩＤＩデータは、このＭＩＤＩシーケンサ７１３にて解釈され、演奏の進行に
伴ってＭＩＤＩ音源７２３を制御することで演奏音を出力させる。
【００１９】
生音エンコーダ７１４は、歌唱者する音声を録音するために設けられた録音手段として機能する。歌唱用マイク４４ａ、４４ｂから入力された入力音声情報は、音響基板７２側に設けられている演奏用エフェクタ７２４にて効果付与され、演奏音とミキシングされた後、効果音付与信号として経路７２Ａにてメイン基板７１に出力される。生音エンコーダ７１４は、この効果音付与信号をエンコードすることで録音、すなわち、適宜ファイルとして記録する。録音された効果音付与信号は、カラオケ装置２自体での再生、あるいは、カラオケ装置２の外部に送信され、カラオケ装置以外の再生装置で再生が可能である。
【００２０】
効果音再生手段７１５は、カラオケ装置２において各種効果音を再生するための手段である。ここで再生される効果音は、生音デコーダ７１２と同様、圧縮あるいは非圧縮のデジタル音声情報が使用される。ここで再生される効果音は、演奏処理以外の効果音に主として使用される。効果音再生手段７１５から出力された効果音は音響基板７２の演奏用エフェクタ７２４にて効果付与されることなく外部へ音響出力される。
【００２１】
メイン基板７１の制御手段７１１は、これら生音デコーダ７１２、ＭＩＤＩシーケンサ７１３、生音エンコーダ７１４、効果音再生手段７１５の各種手段を統括して制御する。また、制御手段７１１には、ユーザがボリューム（音量）を調整可能なボリュームつまみ、あるいは、電子的なボリューム調整手段などの入力手段に接続されており、この入力手段で調整されたボリューム値は、音響基板７２側の制御手段７２１を経て第２ボリューム７３０（図３に示す、本願構成の第２ボリューム７２５相当）に伝達され、音量調整が行われる。
【００２２】
演奏音や入力音声情報を含む音響信号を出力する音響基板７２は、制御手段７２１、生音キーコン・スピコン７２２、ＭＩＤＩ音源７２３、演奏用エフェクタ７２４、第２ボリューム７３０（図３に示す、本願構成の第２ボリューム７２５相当）、Ｄ／Ａ変換器７２６を備えている。
【００２３】
生音キーコン・スピコン７２２は、メイン基板７１の生音デコーダ７１２から出力される生音に対して音程変更、速度変更を行う手段である。演奏処理では、音程、速度変更が行われた場合、ＭＩＤＩシーケンサ７１３において音程、速度変更が実行され、ＭＩＤＩ音源７２３に反映され、この生音キーコン・スピコン７２２に対して同様に音程、速度変更が行われることで、演奏音の整合性が取られている。
【００２４】
ＭＩＤＩ音源７２３は、ＭＩＤＩシーケンサ７１３の制御に基づいて、演奏音（音響信号）を出力する手段である。なお、本実施形態では、前述した生音キーコン・スピコン７２２とこのＭＩＤＩ音源７２３にて音源手段を構成しているが、音源手段としては、ＭＩＤＩ音源７２３のみとするなど、演奏情報に基づいて演奏を行う各種形態を採用することが可能である。
【００２５】
演奏用エフェクタ７２４（本発明における「エフェクタ手段」）は、生音キーコン・スピコン７２２にて音程、速度調整された生音とＭＩＤＩ音源７２３から出力される演奏音に対して、各種効果（エフェクト）を付与して出力する手段である。演奏用エフェクタ７２４には、この他、歌唱用マイク４４ａ、４４ｂからの入力音声情報も入力され、これら各種信号に対して個別、あるいは、全体的に効果を付与することが可能である。本実施形態では、この演奏用エフェクタ７２４にて、入力音声情報をミキシングする形態となっており、生音、演奏音、入力音声情報の３つの信号がミキシングされて効果付与信号として出力される。
【００２６】
演奏用エフェクタ７２４から出力された効果付与信号は、ボリューム７３０にて音量調整された後、Ｄ／Ａ変換器７２６にてアナログ信号に変換されて外部出力される。制御手段７２１は、メイン基板７１の制御手段７１１とＵＳＢ接続され、制御手段７１１から入力される各種指令を、音響基板７２が備える各手段に実行させることが可能である。音量調整機能は、制御手段７２１にて実行される一機能であり、制御手段７１１から入力された音量調整指令を受信した場合、ボリューム７３０のボリューム値を変更することで、演奏用エフェクタ７２４から出力される効果音付与信号の音量調整が実行される。
【００２７】
また、音響基板７２において、演奏用エフェクタ７２４とボリューム７３０の間には、演奏用エフェクタ７２４から出力される効果付与信号を外部に出力する第１経路７２Ａが形成されている。この第１経路７２Ａは、メイン基板７１の生音エンコーダ７１４に接続されており、効果付与信号を生音エンコーダ７１４にて録音可能な経路を形成している。一方、ボリューム７３０の出力側には、第２経路７２Ｂが接続されている。この第２経路７２Ｂによって、メイン基板７１の効果音再生手段７１５からの効果音は、ボリューム７３０にて音量調整された効果音付与信号とミキシングされて外部出力される。
【００２８】
以上、音響制御部７０についてその従来構成を説明したが、このような音響制御部７０の従来構成では、特に音響基板７２側においては、ＭＩＤＩ音源７２３、Ｄ／Ａ変換器７２６等の主に専用ハードウェアを備えた構成である。このため、新たな機能を追加する場合に設計変更を行う自由度は低いものであって、音響制御部７０が出力する音響信号に対して透かし情報を付加することは困難な状況にある。本実施形態のカラオケ装置２は、このような状況を鑑みたものであって、従来の音響制御部７０のハード構成を活かし、出力する音響信号に対して透かしを付加することを特徴とするものである。
【００２９】
図３は、本発明の実施形態に係る音響制御部７０の構成を示すブロック図である。本実施形態の音響制御部７０は、図２で説明した従来の音響制御部７０の構成に対し、メイン基板７１側に透かし付与手段７１６と、第１ボリューム７１７を備えた点において異なった構成となっている。なお、音響基板７２側に設けられた第２ボリューム７２５は、図２で示した従来構成のボリューム７３０と同じ機能を有するものである。このように音響基板７２側は、透かし情報を付与可能とする本実施形態の構成においても手を加える必要が無く、従来構成のものをそのまま使用することが可能である。さらに、構成上、ＣＰＵ（図示せず）が各種プログラムを実行する制御手段７１１を備え、機能的に柔軟性を有するメイン基板７１側では、透かし付与手段７１６、第１ボリューム７１７をソフトウェアで構成することが可能であり、従来のメイン基板（ハード構成）を使用してこれらの手段を構成することが可能である。具体的なソフトウェアとして、透かし付与手段７１６は周知の音信号に対して透かし情報を付与するプログラムを実行し、第１ボリューム７１７は、データに対するビットシフト操作などを実行する。
【００３０】
メイン基板７１の接続は以下のように構成される。従来、生音エンコーダ７２Ａのみに入力されていた第１経路７２Ａは、メイン基板７１側にて分岐して透かし付与手段７１６にも入力される。透かし付与手段７１６は、演奏用エフェクタ７２４から出力される効果付与信号に対して透かし情報を付与して第１ボリューム７１７に出力する。本実施形態のように音響信号に対して付与される透かし情報は、聴覚上、違和感なく音響信号を聴取できるように付与されるデジタル情報であり、通常、付与対象となるコンテンツの不正コピーや改ざんなどの検出に使用されることが多い。透かし情報の付与については、既存の各種手法を採用することが可能であるため、本明細書での説明は割愛する。
【００３１】
本実施形態では、この透かし情報として、現在演奏している楽曲についての各種情報などを内容として有するものである。スピーカ４２から放音された透かし情報を含む音は、ユーザが所持する携帯電話やスマートホンなどの携帯情報端末のマイクロホンに入力され
る。携帯情報端末には透かし情報再生用のプログラムがインストールされており、このプログラムによって、透かし情報が取り出され、文字情報あるいは画像情報などに変換されユーザに提供される。このように本実施形態では、スピーカ４２から出力される音響信号に、ユーザに提供する各種情報を透かし情報として載せることしている。特に、カラオケ装置２で実行する各種処理に応じた情報を透かし情報に載せることが可能であり、例えば、楽曲の演奏中においては当該楽曲に関する情報をユーザに提供することが可能となる。あるいは、カラオケ装置２にて曲間に広告を表示する場合には、当該広告についての情報や購入のためのリンク情報をユーザに提供することが可能である。
【００３２】
透かし付与手段７１６は、第１経路７２Ａを介して入力される効果付与信号に対して、前述した各種内容を有する透かし情報を載せた後、第２経路７２Ｂを介して音響基板７２へ出力する。その際、メイン基板７１に設けられた第１ボリューム７１７にて音量調整が実行される。このように本実施形態では、従来、生音エンコーダ７１４に効果音付与信号を入力するための第１経路７２Ａと、効果音を出力するための第２経路７２Ｂを、透かし付与のために使用することで、特に、音響基板７２側の構成を変更することなく、透かしを付与することが可能となっている。
【００３３】
制御部７１１は、従来構成と同様、生音デコーダ７１２、ＭＩＤＩシーケンサ７１３、生音エンコーダ７１４、効果音再生手段７１５を統括して制御する。さらに、本実施形態では新しく加わった透かし付与手段７１６、第１ボリューム７１７に対する制御も実行可能としている。制御部７１１は、新たに第１ボリューム７１７と、従来と同様、音響基板７２側の第２ボリューム７２５のボリューム値を制御することで、透かし付与する場合と、透かし付与しない場合との切替制御を実行可能としている。
【００３４】
図４は、本発明の実施形態に係る透かし切替処理（非透かし状態→透かし状態）を示すフロー図であり、図３で説明した本実施形態の音響制御部７０において、透かしを載せない状態（非透かし状態）から透かしを載せた状態（透かし状態）への切替処理を示すフロー図である。本実施形態では、非透かし状態と透かし状態とを切り換えることが可能である。例えば、前述したようにカラオケ装置２は、曲間などの非演奏処理中には透かし情報を載せない非透かし状態とし、演奏処理中においては演奏している楽曲に関する情報を透かし情報として載せる透かし状態に切り換える。この切替制御は、カラオケ装置２の制御部３０からの指令に応じて実行される。
【００３５】
メイン基板７１の制御手段７１１は、制御部３０の指令に応じて透かし切替処理が開始されると、まず切替中であることを示すフラグを立てておく（Ｓ１０１）。そして、調整されているボリューム値を読み取る（Ｓ１０２）。このボリューム値は、カラオケ装置２の操作部２１に設けられたボリューム調整つまみなどの入力手段で設定された状態に基づく値であり、スピーカ４２から出力される音響信号の音量を示す値である。次に、消音状態を示すボリュームミュート値を第２ボリューム用テーブルに適用し、取得したセット値を第２ボリューム７２５にセットする（Ｓ１０３）。この処理により第２ボリューム７２５は非導通（非出力）状態となる。次に、Ｓ１０２にて読み取ったボリューム値を第１ボリューム用テーブルに適用し、取得したセット値を第１ボリューム７１７にセットする（Ｓ１０４）。
【００３６】
このように透かし状態では、第１ボリューム７１７を出力状態とし、第２ボリューム７２５を非出力状態とすることで、第１経路７２Ａによる透かし付与手段７１６への効果音付与信号の入力、並びに、第２経路７２Ｂによる透かし付与手段７１６からの外部音響出力を可能としている。また、この状態における音量調整は、第１ボリューム７１７によって実行可能となっている。各ボリューム７１７、７２５の設定後、Ｓ１０１で立てた切替中を示すフラグを削除して処理を終了する（Ｓ１０５）。
【００３７】
図５には、本発明の実施形態に係る第１ボリューム、第２ボリューム用テーブルを示す図が示されている。各ボリューム用テーブルは０〜２５５までのボリューム値と、実際に各ボリューム７１７、７２５に設定されるセット値が対応付けられている。Ｓ１０３、Ｓ１０４では、ボリュームミュート値、あるいは、読み取ったボリューム値に基づいて、各第１、第２ボリューム７１７、７２５にセット値を設定することしている。
【００３８】
図６には、図５の透かし切替処理を実行後の音響制御部７０の構成（透かし状態）を示すブロック図が示されている。このブロック図は、図３のブロック図中、機能する経路のみを記載した図であって、信号が通っていない経路は不図示の状態としている。また、第２ボリューム７２５はミュート状態にあるため破線で示している。このブロック図中、透かし付与に関与する経路は、以下のとおりである。
【００３９】
演奏用エフェクタ７２４から出力された効果付与信号は、第１経路７２Ａを通じて透かし付与手段７１６に入力される。透かし付与手段７１６では、制御手段７１１の制御に基づいて効果付与信号に透かし情報が付与され出力される。透かし付与手段７１６から出力された透かし付与後の効果付与信号は、第１ボリューム７１７にて音量調整された後、音響基板７２の第２経路７２Ｂを介して、Ｄ／Ａ変換器７２６に出力された後、外部出力される。このように透かし状態においては、第１経路７２Ａを透かし付与手段７１６への入力経路として使用し、第２経路７２Ｂを透かし付与手段７１６からの出力経路として使用することが可能となり、音響基板７２側では特段設計変更を行うことなく、音響制御部７０に透かし付与機能を追加することが可能となる。
【００４０】
図７は、本発明の実施形態に係る透かし切替処理（透かし状態→非透かし状態）を示すフロー図である。この切替処理は、図４で説明した切替処理と逆の処理であり、透かし状態から非透かし状態へ切り換える際の処理を示したものである。
【００４１】
メイン基板７１の制御手段７１１は、制御部３０の指令に応じて透かし切替処理が開始されると、まず切替中であることを示すフラグを立てておく（Ｓ２０１）。そして、調整されているボリューム値を読み取る（Ｓ２０２）。次に、消音状態を示すボリュームミュート値を第１ボリューム用テーブルに適用し、第１ボリューム用テーブルから取得したセット値を第１ボリューム７１７にセットする（Ｓ２０３）。この処理により第１ボリューム７１７は非導通（非出力）状態となる。次に、Ｓ２０２にて読み取ったボリューム値を第２ボリューム用テーブルに適用し、第２ボリューム用テーブルから取得したセット値を第２ボリューム７２５にセットする（Ｓ２０４）。
【００４２】
このように非透かし状態では、第１ボリューム７１７を非出力状態とし、第２ボリューム７２５を出力状態とすることで、従来同様、第２ボリューム７２５による音量調整を可能とするとともに、第１経路７２Ａによる生音エンコーダ７１４への出力、及び、第２経路７２Ｂによる効果音再生手段７１５による効果音の外部出力を可能としている。各ボリューム７１７、７２５の設定後、Ｓ２０１で立てた切替中を示すフラグを削除して処理を終了する（Ｓ２０５）。
【００４３】
図８には、図７の透かし切替処理を実行後の音響制御部７０の構成（非透かし状態）を示すブロック図が示されている。このブロック図は、図３のブロック図中、機能する経路のみを記載した図であって、信号が通っていない経路は付図視の状態としている。また、第１ボリューム７１７はミュート状態にあるため破線で示している。このブロック図中、主な信号の経路は、以下のとおりである。
【００４４】
演奏用エフェクタ７２４から出力された効果付与信号は、第１ボリューム７２５にて音
量調整された後、Ｄ／Ａ変換器７２６に出力された後、外部出力される。また、演奏用エフェクタ７２４から出力された効果付与信号は、第１経路７２Ａを介して生音エンコーダ７１４に入力され、生音エンコーダ７１４による録音を可能としている。一方、効果音再生手段７１５から出力された効果音は、第２経路７２Ｂを介してＤ／Ａ変換器７２６に出力され、効果付与信号とミキシングされて外部出力されることで、効果音を音響出力することを可能としている。このように非透かし状態においては、図２で説明した従来構成と同様の信号経路を取ることが可能であり、生音エンコーダ７１４による録音、並びに、効果音再生手段７１５による効果音再生を可能としている。
【００４５】
図６、図８のブロック図から分かるように透かし状態（図６）では、第１ボリューム７１７により出力音の音量調整が行われ、非透かし状態（図８）では、第２ボリューム７２５により出力音の音量調整が行われることとなる。本実施形態の音響制御部７０における音量調整について説明する。
【００４６】
図９は、本発明の実施形態に係るボリューム設定処理を示すフロー図である。本実施形態では、透かし状態と非透かし状態で異なるボリュームを調整する必要がある。そのため以下に説明するボリューム設定処理が実行されることとなる。ボリューム設定処理は、操作部２１に設けられたボリューム調整つまみなど各種入力手段から入力されるボリューム値に基づいて実行される。
【００４７】
まず、透かし状態、非透かし状態の切替中であるか否かが判定される（Ｓ３０１）。この切替は図４、図７で説明した切替中を示すフラグの有無によって判定される。切替中であることが判定された場合には、Ｓ３０９にて一定時間待った後、再度判定を行う。このように本実施形態では切替中の音量調整を避けることしている。次に入力手段にて設定されているボリューム値が読み取られる（Ｓ３０２）。Ｓ３０２で読み取ったボリューム値が前回と同じ値である場合（Ｓ３０３：Ｙｅｓ）、音量調整を行う必要が無いためボリューム値の監視に戻る。一方、ボリューム値が前回と異なる場合（Ｓ３０３：Ｎｏ）には、現在透かし付与状態にあるか否か、すなわち、図６の透かし状態に設定されているか、図８の非透かし状態に設定されているかが判定される（Ｓ３０４）。
【００４８】
現在の状態が透かし付与状態にあると判定された場合（Ｓ３０４：Ｙｅｓ）には、Ｓ３０２で読み取ったボリューム値を第１ボリューム用テーブルに適用し、取得したセット値を第１ボリューム７１７にセットする（Ｓ３０５）。したがって、図６に示す透かし状態にて音量調整（変更）が行われた場合、制御手段７１１は第１ボリュームに対してセット値を適用することで、外部出力される音響信号の音量を変更する。
【００４９】
一方、現在の状態が非透かし付与状態にあると判定された場合（Ｓ３０４：Ｎｏ）には、Ｓ３０２で読み取ったボリューム値を第２ボリューム用テーブルに適用し、取得したセット値を第２ボリューム７２５にセットする（Ｓ３０６）。したがって、図８に示す非透かし状態にて音量調整（変更）が行われた場合、制御手段７１１は第２ボリューム７２５に対してセット値を適用することで出力される音響信号の音量を変更する。以上のボリューム設定処理を繰り返して実行することで、入力手段にて入力されたボリューム値が実際の出力音の音量に反映されることとなる。
【００５０】
以上、本発明の実施形態に係るカラオケ装置では、音響制御部の従来構成を活かしつつ、カラオケ装置から出力される音響信号に透かし情報を付与することが可能となる。透かし情報に楽曲に関連する各種情報などを載せることで、透かし情報を読み取ることのできる携帯情報端末などを使用するユーザに対して各種情報を提供することが可能となる。
【００５１】
なお、本発明はこれらの実施形態のみに限られるものではなく、それぞれの実施形態の
構成を適宜組み合わせて構成した実施形態も本発明の範疇となるものである。
【符号の説明】
【００５２】
１ａ、１ｂ…リモコン装置、１１…表示部、１２…ビデオＲＡＭ、１３…映像制御部、１４…メモリ、１５…制御部、１６…無線ＬＡＮ通信部、１７…操作部、１８…操作処理部、１９…赤外線通信部、２…カラオケ装置、２１…操作部、２２…操作処理部、２３…赤外線通信部、２４…インターフェイス部、２７…メモリ、２８…ビデオＲＡＭ、２９…映像再生部、３０…制御部、３１…映像制御部、３２…ハードディスク、４１…モニタ装置、４２…スピーカ、４４ａ…歌唱用マイク、４４ｂ〜４４ｄ…外部楽器、１００…ＬＡＮ、１１０…アクセスポイント、１２０…ルータ、５…カラオケ用ホスト、５１…記憶部、５２…送受信手段、５３…サーバ側制御手段、５４…楽曲再生部、７１…メイン基板（主制御部）、７１１…制御手段、７１２…生音デコーダ、７１３…ＭＩＤＩシーケンサ、７１４…生音エンコーダ７１４、７１５…効果音再生手段、７１６…透かし付与手段、７１７…第１ボリューム、７２…音響基板（音響出力部）、７２１…制御手段、７２２…生音キーコン・スピコン、７２３…ＭＩＤＩ音源、７２４…演奏用エフェクタ、７２５…第２ボリューム、７３０…ボリューム
【図１】
2014149383.tif 000003
【図２】
2014149383.tif 000004
【図３】
2014149383.tif 000005
【図４】
2014149383.tif 000006
【図５】
2014149383.tif 000007
【図６】
2014149383.tif 000008
【図７】
2014149383.tif 000009
【図８】
2014149383.tif 000010
【図９】
2014149383.tif 000011